(57)【要約】【課題】  サイズが異なるミラーキャビネットを製造する際の金型を共通化することで、金型の数を減らすことができ、生産コストの削減を図ることが可能なミラーキャビネットを提供することを目的とする。【解決手段】  本発明にかかるミラーキャビネットの構成は、水栓１１２および洗面ボール１１４を備えた洗面カウンター１１０と共に設置されるミラーキャビネット１３０であって、鏡（三面鏡１７０）と、当該ミラーキャビネットの枠体１４０の上面、下面および両側面からなる四周をそれぞれ構成する複数のフレーム材１４２および１４４と、当該ミラーキャビネットの角部で２つのフレーム材に冠着し、２つのフレーム材を連結するキャップ１４６と、を備え、複数のフレーム材は押出成形により成形されていることを特徴とする。【選択図】  図３
2011000334.tif 000002
【特許請求の範囲】
【請求項１】
水栓および洗面ボールを備えた洗面カウンターと共に設置されるミラーキャビネットであって、
鏡と、
当該ミラーキャビネットの枠体の上面、下面および両側面からなる四周をそれぞれ構成する複数のフレーム材と、
当該ミラーキャビネットの角部で２つの前記フレーム材に冠着し、該２つのフレーム材を連結するキャップと、
を備え、
前記複数のフレーム材は押出成形により成形されていることを特徴するミラーキャビネット。
【請求項２】
当該ミラーキャビネットは、
前記鏡の上方に配置される照明と、
前記フレーム材からなり前記鏡の上辺に沿って配置されて該鏡の上辺を支持する梁と、
を更に備えることを特徴とする請求項１に記載のミラーキャビネット。
【請求項３】
当該ミラーキャビネットは、
背板と、
前記照明を取り付けられる照明ベースと、
を更に備え、
前記フレーム材は、断面の形状において１つの角が後退した段部を有し、
前記枠体の下面および両側面、並びに前記梁を構成するフレーム材は、前記段部を当該ミラーキャビネットの背面側に配置して該段部に前記背板を固定され、
前記枠体の上面を構成するフレーム材は、前記段部を当該ミラーキャビネットの前面側に配置して該段部に前記照明ベースを固定されることを特徴とする請求項２に記載のミラーキャビネット。
【発明の詳細な説明】
【技術分野】
【０００１】
本発明は、洗面カウンターと共に設置されるミラーキャビネットに関するものである。
【背景技術】
【０００２】
従来から、浴室に隣接して設けられる脱衣所などには、洗面化粧台が設置されている。洗面化粧台は、大別すれば洗面カウンターとミラーキャビネットとから構成される。洗面カウンターは、基本要素として湯水を供給する水栓と、排水口を備えた洗面ボールとを備えている。設置される際、水栓には給水管が接続され、排水口には排水管が接続される。
【０００３】
また洗面カウンターは、下部に引き出しや開き戸などの収納部が設けられ、正面に事実上の必需品として鏡が配置されている。鏡は、壁面に直接取り付けられている場合もあるが、近年では照明や収納等を備えた基体に取り付けられている場合が多い。以下、本願では、鏡と基体とを含んだユニットをミラーキャビネットと称し、ミラーキャビネットと洗面カウンターとを含んだユニットを洗面化粧台と称する。
【０００４】
ミラーキャビネットの基体は根本的には鏡の支持体であり、鏡の周囲には、蛍光灯などの照明器具、これを操作するためのスイッチ、ドライヤーなどに電力供給するためのコンセントなどが設けられる。またミラーキャビネットには、石鹸や歯ブラシ、化粧品などを載置するための棚や収納部も設けられる。これらのことから、基体はある程度複雑な凹凸形状をなしている。従来の基体は主として合成樹脂材料からなり、真空成型にて製造されている場合が多い（例えば特許文献１）。
【先行技術文献】
【特許文献】
【０００５】
【特許文献１】特開平０５−１６１５５７号公報
【発明の概要】
【発明が解決しようとする課題】
【０００６】
脱衣所等において洗面化粧台が占有可能な面積は、使用者宅ごとに異なる。これに対応すべく、洗面化粧台、すなわち洗面カウンターとミラーキャビネットは、同じデザインであってもサイズが異なるものが複数取り揃えられる。このようにサイズは異なるが同じデザインのミラーキャビネットを製造する際に特許文献１のように真空成型を用いたり、または射出成型を用いたりする場合、サイズごとにそれぞれ別の金型が必要になる。かかる金型は、ミラーキャビネットの生産工程において最も高価且つ大がかりな設備である。このため、サイズごとに金型を用意することが、生産コストの増大の一因となっていた。
【０００７】
本発明は、このような課題に鑑み、サイズが異なるミラーキャビネットを製造する際の金型を共通化することで、金型の数を減らすことができ、生産コストの削減を図ることが可能なミラーキャビネットを提供することを目的としている。同時に、金型の数を増やすことなく任意のサイズに構成しうるミラーキャビネットを提供することを目的とする。
【課題を解決するための手段】
【０００８】
上記課題を解決するために、本発明にかかるミラーキャビネットの代表的な構成は、水栓および洗面ボールを備えた洗面カウンターと共に設置されるミラーキャビネットであって、鏡と、当該ミラーキャビネットの枠体の上面、下面および両側面からなる四周をそれぞれ構成する複数のフレーム材と、当該ミラーキャビネットの角部で２つのフレーム材に冠着し、２つのフレーム材を連結するキャップと、を備え、複数のフレーム材は押出成形により成形されていることを特徴とする。
【０００９】
上記構成によれば、当該ミラーキャビネットの基体となる枠体の四周は、フレーム材から構成される。かかるフレーム材のうち、枠体の上面および下面を構成するフレーム材は、押出成型で成型された長尺部材を、当該ミラーキャビネットの基体の横幅に合わせて切断することにより製造される。同様に、枠体の両側面を構成するフレーム材は、かかる長尺部材を、当該ミラーキャビネットの縦幅に合わせて切断することにより製造される。そして、キャップを用いてこれらのフレーム材を連結することで枠体が形成される。
【００１０】
したがって、長尺部材を切断する長さ（位置）を変えるだけで、サイズが異なるミラーキャビネットの枠体を構成するフレーム材を製造することができる。このため、複数のサイズのミラーキャビネットのフレーム材を、１つの金型を用いて製造することができる、すなわち金型を共通化することができる。これにより、金型の数を減らすことができ、生産コストの削減を図ることが可能となる。
【００１１】
当該ミラーキャビネットは、鏡の上方に配置される照明と、フレーム材からなり鏡の上辺に沿って配置されて鏡の上辺を支持する梁と、を更に備えるとよい。かかる構成のように照明を設けることにより、当該ミラーキャビネットが設置された空間の照度を高め、使用者の作業性、ひいては利便性を向上させることができる。
【００１２】
しかし、鏡の上方に照明を配置すると、ミラーキャビネットの上面を構成するフレーム材が鏡を支持できなくなり、安定性が低下する。したがって、上記構成のように鏡の上辺を支持する梁を設けることで、十分な安定性を確保することができる。そして、かかる梁がミラーキャビネットの枠体を構成するフレーム材と同じ部材からなることで、枠体だけでなく梁をも共通部材とすることができ、梁の製造に際して新たな金型が不要となる。したがって、製造コストの増大を抑えることができる。
【００１３】
当該ミラーキャビネットは、背板と、照明を取り付けられる照明ベースと、を更に備え、フレーム材は、断面の形状において１つの角が後退した段部を有し、枠体の下面および両側面、並びに梁を構成するフレーム材は、段部を当該ミラーキャビネットの背面側に配置して段部に背板を固定され、枠体の上面を構成するフレーム材は、段部を当該ミラーキャビネットの前面側に配置して段部に照明ベースを固定されるとよい。
【００１４】
上記構成によれば、照明ベースを介して照明を当該ミラーキャビネットに好適に取り付けることが可能となる。そして、フレーム材が段部を有することにより、枠体の下面および両側面、並びに梁を構成するフレーム材の段部に背板を、枠体の上面を構成するフレーム材の段部に照明ベースを好適に取り付けることができ、取付後の安定性を向上することができる。
【発明の効果】
【００１５】
本発明によれば、サイズが異なるミラーキャビネットを製造する際の金型を共通化することで、金型の数を減らすことができ、生産コストの削減を図ることが可能なミラーキャビネットを提供することができる。
【図面の簡単な説明】
【００１６】
【図１】本実施形態にかかるミラーキャビネットを備えた洗面化粧台の斜視図である。
【図２】本実施形態にかかるミラーキャビネットを備えた洗面化粧台の斜視図である。
【図３】枠体および梁の詳細を示す図である。
【図４】キャップの詳細を示す図である。
【図５】連結部材の詳細を示す図である。
【図６】図３の部分拡大図である。
【図７】背板の詳細を示す図である。
【図８】収納トレイの詳細を示す図である。
【図９】照明ベースの詳細を示す図である。
【図１０】背板および照明ベースの取付後の枠体を示す図である。
【発明を実施するための形態】
【００１７】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
（実施形態）
図１および図２は、本実施形態にかかるミラーキャビネットを備えた洗面化粧台の斜視図である。図１および図２に示すように、本実施形態においてミラーキャビネット１３０は、扉を兼ねた三面鏡１７０を備えており、特に、図１は三面鏡１７０（扉）を閉じた状態を、図２は三面鏡１７０（扉）を開けた状態を示している。
【００１９】
図１および図２に示すように、洗面化粧台１００は、洗面カウンター１１０と、ミラーキャビネット１３０とから構成されている。洗面カウンター１１０は、湯水を供給する水栓１１２と、排水口１１４ａを備えた洗面ボール１１４とを備えている。また洗面ボールの下方には収納部である引出１１６が設けられている。
【００２０】
ミラーキャビネット１３０は、枠体１４０と、梁１４８と、照明１５４と、照明ベース１５６と、照明カバー１５８と、背板１６０と、収納トレイ１６８と、三面鏡１７０と、鏡押さえ部材１７２とを備える。
【００２１】
図３は、枠体１４０および梁１４８の詳細を示す図である。特に、図３（ａ）は枠体１４０および梁１４８の組立前の状態を、図３（ｂ）は枠体１４０および梁１４８の組立後の状態を示している。図３（ｃ）は、図３（ｂ）のＡ−Ａ断面図である。図３（ａ）および（ｂ）に示すように、枠体１４０は、フレーム材１４２および１４４と、キャップ１４６とから構成される。
【００２２】
フレーム材１４２は、押出成型で成型された長尺部材を当該ミラーキャビネット１３０の横幅に合わせて切断することにより製造され、枠体１４０の四周のうち、上面および下面を構成する。フレーム材１４４は、押出成型で成型された長尺部材を当該ミラーキャビネット１３０の縦幅に合わせて切断することにより製造され、枠体１４０の四周のうち、両側面を構成する。
【００２３】
このように、当該ミラーキャビネット１３０の基体となる枠体１４０の四周を、押出成型により成型したフレーム材１４２および１４４から構成することで、長尺部材を切断する長さ（位置）を変えるだけで、枠体１４０の上面と下面を構成するフレーム材１４２、および枠体１４０の両側面を構成するフレーム材１４４のいずれをも同一の金型により製造することができる。また同様に長尺部材の切断位置を変えるだけで、サイズが異なるミラーキャビネットの枠体を構成するフレーム材を製造することが可能となる。したがって、複数のサイズのミラーキャビネットのフレーム材を製造する際の金型を共通化することができる。これにより、金型の数を減らし、生産コストの削減を図ることができる。
【００２４】
上述したように、フレーム材１４２および１４４は押出成形により成型された長尺部材を切断して製造されるため、断面の形状が略同一である。図３（ｃ）に示すように、フレーム材１４２は、断面の形状において１つの角が後退した段部１４２ａを有する。なお、フレーム材１４４も同様に段部１４４ａを有するが、フレーム材１４２と同一の断面形状であるため、説明を省略する。
【００２５】
後に詳述するが、枠体１４０の下面および両側面、並びに梁１４８を構成するフレーム材１４２および１４４は、段部１４２ａおよび１４４ａが当該ミラーキャビネット１３０の背面側に向けられており、背板１６０が取り付けられる。これに対し、枠体１４０の上面を構成するフレーム材１４２は段部１４２ａが前面側に向けられており、照明ベース１５６が取り付けられる。このように、同一の断面形状のフレーム材１４２、１４４を用いながらも、照明ベース１５６および背板１６０を枠体１４０に好適に取り付けることができる。
【００２６】
キャップ１４６は、当該ミラーキャビネット１３０の角部で２つのフレーム材１４２および１４４に冠着し、これらを連結する。図４はキャップ１４６の詳細を示す図である。図４（ａ）はキャップ１４６の正面斜視図であり、図４（ｂ）はキャップ１４６の背面斜視図であり、図４（ｃ）はキャップ１４６の三面図である。
【００２７】
図４に示すように、キャップ１４６は、断面が略Ｌ字状であり、Ｌ字の外側部分には、フレーム材１４２に冠着する第１冠着部１４６ａを、Ｌ字の内側部分には、フレーム材１４４に冠着する第２冠着部１４６ｂを有する。これにより、フレーム材１４２および１４４がキャップ１４６を介して連結され、枠体１４０を形成することが可能となる。
【００２８】
梁１４８は、フレーム材１４２からなり、後述する三面鏡１７０（鏡）の上辺に沿って配置され、三面鏡１７０の上辺を支持する。これにより、照明１５４が三面鏡１７０の上方に配置された場合に、照明１５４を取り付けられた照明ベース１５６は、枠体１４０の上面を構成するフレーム材１４２ではなく、梁１４８に支持される。したがって、照明１５４および照明ベース１５６の安定性を向上することが可能となる。
【００２９】
また、梁１４８がフレーム材１４２からなることで、枠体１４０だけでなく梁１４８をも共通の金型から製造することができ、梁１４８の製造に際して新たな金型が不要となる。したがって、製造コストの増大を抑えることができる。
【００３０】
連結部材１５０は、梁１４８をフレーム材１４４に連結させるための部材である。図５は連結部材１５０の詳細を示す図である。特に、図５（ａ）は連結部材１５０を外側から見た斜視図であり、図５（ｂ）は連結部材１５０を内側から見た斜視図であり、図５（ｃ）は連結部材１５０の三面図である。
【００３１】
図５に示すように、連結部材１５０は、断面が略Ｌ字状であり、Ｌ字の外側部分１５０ａ（図５（ｃ）のハッチング部分）にはフレーム材１４４が接続され、Ｌ字の長辺の内側部分１５０ｂには梁１４８が接続される。これにより、枠体１４０の両側面を構成するフレーム材１４４と梁１４８とを連結することが可能となる。
【００３２】
図６は、図３の部分拡大図であり、枠体１４０および梁１４８の組立を説明する図である。なお、図６では、図３（ａ）に示す枠体１４０の右上部分の組立を図示する。枠体１４０および梁１４８を組み立てる場合、まず図６（ａ）に示すように、連結部材１５０をフレーム材１４４の所定位置に位置決めし、貫通孔１５０ｃからネジ等を用いてフレーム材１４４に締結する。そして図６（ｂ）に示すように、梁１４８を連結部材１５０に嵌合させて取り付ける。連結部材１５０は、梁１４８の端面に冠着するように（かぶさるように）組み合わさる。なおこのとき、梁１４８の段部１４２ａは、背面側に向けて配置されている。
【００３３】
次に、図６（ｃ）に示すように、照明ベース１５６を梁１４８の上面にネジ等によって固定する。梁１４８の上面と照明ベース１５６には、互いに対応する位置に貫通孔（図示せず）が設けられており、位置決めと締結を同時に行うことができる。なお図示するネジ止め位置は概念的なものであって、その位置を限定するものではない。
【００３４】
そして図６（ｄ）に示すように、フレーム材１４４の上面にキャップ１４６の第２冠着部１４６ｂを冠着させ、貫通孔１４６ｃからネジ等で締結することによってフレーム材１４４に固定する。そして第１冠着部１４６ａに、フレーム材１４２を嵌合させて取り付ける。このとき、フレーム材１４２の段部１４２ａは前面側に向けて配置されている。すなわち、枠体１４０の下面および両側面、並びに梁１４８を構成するフレーム材１４２および１４４と断面形状は同じであるが、前後方向の向きが逆になっている。そして、照明ベース１５６の上縁は段部１４２ａの前面に沿うように位置している。そして、照明ベース１５６に設けた貫通孔（図示せず）からネジ等によってフレーム材１４２に締結する。
【００３５】
このようにして、キャップ１４６によりフレーム材１４２とフレーム材１４４が、連結部材１５０によりフレーム材１４４と梁１４８が連結される。そして、図３（ａ）に示す枠体１４０の右下部分、左上部分および左下部分においても上記と同様の作業を行うことにより、枠体１４０および梁１４８が組み立てられ、図３（ｂ）に示す状態となる。
【００３６】
なお、上述した枠体１４０および梁１４８の組立作業は、必ずしも記載された順序に沿って行う必要はなく、順序を変更して行ってもよい。
【００３７】
背板１６０は、枠体１４０の、当該ミラーキャビネット１３０の背面となる側に配置される板状部材である。これにより、背板１６０および枠体１４０からなるミラーキャビネット１３０内の収納空間が形成される。
【００３８】
図７は背板１６０の詳細を示す図であり、特に、図７（ａ）は背板１６０の正面斜視図を、図７（ｂ）は背板１６０の背面斜視図を、図７（ｃ）および（ｄ）は背板１６０の枠体１４０への取付状態を示している。図７（ａ）および（ｂ）に示すように、背板１６０は、背面部１６２と、屈曲部１６４および１６６とから構成される。
【００３９】
背面部１６２は、当該背板１６０が枠体１４０に取り付けられた際にミラーキャビネット１３０の背面となる。かかる背面部１６２は複数の取付穴１６２ａを有する。取付穴１６２ａにはフック等（図示せず）を取り付け、フックに後述する収納トレイ１６８を掛着することが可能となる。
【００４０】
屈曲部１６４は、背面部１６２の長辺（上辺と下辺）から略直角に屈曲している。背面部１６２の周辺部には、貫通孔１６２ｂが設けられている。屈曲部１６６は、背面部１６２の短辺（両側辺）から略直角に屈曲している。これにより、背板１６０を枠体１４０に好適に固定することが可能となる。
【００４１】
ここで、図７（ｃ）、図７（ｄ）に示すように、枠体１４０の下面および両側面、並びに梁１４８を構成するフレーム材１４２および１４４は、段部１４２ａおよび１４４ａが当該ミラーキャビネット１３０の背面側になるように配置されている。これに対し、枠体１４０の上面を構成するフレーム材１４２は、段部１４２ａが当該ミラーキャビネット１３０の前面側になるように配置されている。
【００４２】
背板１６０を枠体１４０に固定する際には、まず、背板１６０の背面部１６２を、枠体１４０の当該ミラーキャビネット１３０の背面となる側に当接させる。次に、図７（ｃ）の矢印に示すように、背板１６０を、フレーム材１４２の段部１４２ａに嵌め込む。そして、貫通孔１６２ｂにネジ等（図示せず）を挿通し、枠体１４０（フレーム材１４２および１４４）に背板１６０を固定する。これにより、図７（ｄ）に示す状態となる。
【００４３】
収納トレイ１６８は、ミラーキャビネット１３０において頻繁に用いられる物品（被収納物）を収納する。図８は収納トレイ１６８の詳細を示す図である。特に、図８（ａ）は収納トレイ１６８の正面斜視図であり、図８（ｂ）は収納トレイ１６８の背面斜視図である。図８に示すように、収納トレイ１６８は背面に切欠状の取付部１６８ａを有する。これにより、フック等（図示せず）を介して収納トレイ１６８を背板１６０に取り付けることが可能となる。収納トレイ１６８は、アルミニウムの押出成形材の両端にキャップを取り付けて構成したり、樹脂を射出成形により一体成形したりすることができる。
【００４４】
照明１５４は、蛍光灯等の光源であり、三面鏡１７０（鏡）の上方に配置される。これにより、当該ミラーキャビネット１３０が設置された空間の照度を高め、使用者の作業性、ひいては利便性を向上させることができる。本実施形態においては、照明１５４を覆うように照明カバー１５８が設けられている。これにより、照明１５４付近への埃等の侵入を防ぐことができる。
【００４５】
照明ベース１５６は、照明１５４を当該ミラーキャビネット１３０に取り付けるための基体である。これにより、照明ベース１５６を介して照明１５４を当該ミラーキャビネット１３０（枠体１４０）に好適に取り付けることが可能となる。
【００４６】
図９は照明ベース１５６の詳細を示す図である。図９に示すように、照明ベース１５６は断面がＬ字状であり、Ｌ字の垂直部分に、照明取付穴１５６ａおよび貫通孔１５６ｂを有する。かかる照明取付穴１５６ａにより、当該照明ベース１５６の正面に照明１５４を取り付けることが可能となる。
【００４７】
図１０は、背板１６０および照明ベース１５６の取付後の枠体を示す図である。組み立てられた枠体１４０および梁１４８に、上記のように背板１６０および照明ベース１５６を取り付けることにより、図１０に示す状態となる。その後、枠体１４０の当該ミラーキャビネット１３０の前面となる側に三面鏡１７０を取り付ける。
【００４８】
三面鏡１７０は、鏡１７０ａ、１７０ｂ、１７０ｃとから構成され、後述する鏡押さえ部材１７２を介して、上辺を梁１４８に、下辺を枠体１４０の下面を構成するフレーム材１４２に取り付けられている。
【００４９】
鏡押さえ部材１７２は、鏡押さえ部材１７２ａ、１７２ｂ、１７２ｃ、鏡押さえ部材１７２ｄ、１７２ｅ、１７２ｆから構成される。１７２ａおよび１７２ｄは、鏡１７０ａの上辺および下辺に、鏡押さえ部材１７２ｂおよび１７２ｅは、鏡１７０ｂの上辺および下辺に、鏡押さえ部材１７２ｃおよび１７２ｆは、鏡１７０ｃの上辺および下辺に設けられている。そして、図２に示すように、各鏡押さえ部材１７２の端部のいずれか一方がヒンジを介して梁１４８または枠体１４０の下面を構成するフレーム材１４２に固定されることで、三面鏡１７０が、開閉可能となり、ミラーキャビネット１３０の扉として機能することが可能となる。
【００５０】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５１】
なお、本実施形態においてはミラーキャビネットは三面鏡を備えているが、これに限定するものではなく、三面鏡に替えて一面鏡を備える構成としてもよく、少なくとも１以上の鏡を備えていればよい。
【産業上の利用可能性】
【００５２】
本発明は、洗面カウンターと共に設置されるミラーキャビネットとして利用することができる。
【符号の説明】
【００５３】
１００…洗面化粧台、１１０…洗面カウンター、１１２…水栓、１１４…洗面ボール、１１４ａ…排水口、１１６…引出、１３０…ミラーキャビネット、１４０…枠体、１４２…フレーム材、１４２ａ…段部、１４４…フレーム材、１４４ａ…段部、１４６…キャップ、１４６ａ…第１冠着部、１４６ｂ…第２冠着部、１４６ｃ…貫通孔、１４８…梁、１５０…連結部材、１５０ａ…外側部分、１５０ｂ…内側部分、１５０ｃ…貫通孔、１５４…照明、１５６…照明ベース、１５６ａ…照明取付穴、１５６ｂ…貫通孔、１５８…照明カバー、１６０…背板、１６２…背面部、１６２ａ…取付穴、１６２ｂ…貫通孔、１６４…屈曲部、１６６…屈曲部、１６８…収納トレイ、１７０…三面鏡、１７０ａ…鏡、１７０ｂ…鏡、１７０ｃ…鏡、１７２…鏡押さえ部材、１７２ａ…鏡押さえ部材、１７２ｂ…鏡押さえ部材、１７２ｃ…鏡押さえ部材、１７２ｄ…鏡押さえ部材、１７２ｅ…鏡押さえ部材、１７２ｆ…鏡押さえ部材
【図１】
2011000334.tif 000003
【図２】
2011000334.tif 000004
【図３】
2011000334.tif 000005
【図４】
2011000334.tif 000006
【図５】
2011000334.tif 000007
【図６】
2011000334.tif 000008
【図７】
2011000334.tif 000009
【図８】
2011000334.tif 000010
【図９】
2011000334.tif 000011
【図１０】
2011000334.tif 000012